Podtech/llm-jp-corpus-v4-ja_patent huggingface dataset:
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
遊技が行われる遊技領域を有する遊技盤と、
前記遊技盤を前方から着脱可能な本体枠と、
前記本体枠の前面側に対し開閉可能に支持され、遊技に応じて払い出される遊技媒体を貯留可能な貯留領域が形成された皿ユニット部を有する扉枠と、
前記皿ユニット部に設けられ、遊技者による操作を受付可能な特定受け部と可動部とを有する操作ユニット部と、
を備え、
前記可動部の上端は、前記皿ユニット部に形成された前記貯留領域を構成する後壁部の該可動部と対向する箇所よりも上方に位置しているものであり、
前記操作ユニット部の前記可動部と前記貯留領域の間には前記貯留領域の前壁を構成する特定前壁部が設けられており、
前記貯留領域を構成する後壁部の高さを越える位置まで遊技媒体が前記貯留領域に貯留された場合であっても、前記可動部方向への転動を阻害しうるように前記特定前壁部の高さを該特定前壁部の後方に位置する後壁部よりも高く構成され、
遊技媒体が遊技に応じて払い出される場合、前記貯留領域に設けられた皿球供給口から遊技媒体が払い出されて貯留領域に貯留されるものであり、
前記貯留領域を構成する前壁のうち前記皿球供給口の前側は前記特定前壁部よりも低い高さで形成されており、
前記特定前壁部は、前記可動部の外形形状の少なくとも一部に合わせた特定形状を有する
ことを特徴とする遊技機。
【手続補正２】
【補正対象書類名】明細書
【補正対象項目名】０００３
【補正方法】変更
【補正の内容】
【０００３】
この種の遊技機として、遊技領域の下方において前方に膨出している膨出部の上面に、可動する可動部を有する操作ユニット部を設け、所定の演出として、遊技者が操作ユニット部に対して操作することで演出に参加することが可能な遊技者参加型演出を実行するものが提案されている（例えば、特許文献１）。
【手続補正３】
【補正対象書類名】明細書
【補正対象項目名】０００４
【補正方法】変更
【補正の内容】
【０００４】
しかしながら、可動部を有する操作ユニット部を扉窓下の扉枠に遊技球を貯留可能な貯留皿に近接して取り付けた場合、貯留皿に貯留された遊技球が可動部への接触により不具合が発生し、可動部が所望の動きをしなくなると遊技に対する興趣を低下させてしまう恐れがある。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
【特許文献１】特開２０１１−２０６１２６公報
【手続補正６】
【補正対象書類名】明細書
【補正対象項目名】０００７
【補正方法】変更
【補正の内容】
【０００７】
そこで、本発明は、上記の実情に鑑み、遊技者の興趣の低下を抑制させることが可能な遊技機の提供を課題とするものである。
【手続補正７】
【補正対象書類名】明細書
【補正対象項目名】０００８
【補正方法】変更
【補正の内容】
【０００８】
上記課題を解決するために、本願発明は、
「遊技が行われる遊技領域を有する遊技盤と、
前記遊技盤を前方から着脱可能な本体枠と、
前記本体枠の前面側に対し開閉可能に支持され、遊技に応じて払い出される遊技媒体を貯留可能な貯留領域が形成された皿ユニット部を有する扉枠と、
前記皿ユニット部に設けられ、遊技者による操作を受付可能な特定受け部と可動部とを有する操作ユニット部と、
を備え、
前記可動部の上端は、前記皿ユニット部に形成された前記貯留領域を構成する後壁部の該可動部と対向する箇所よりも上方に位置しているものであり、
前記操作ユニット部の前記可動部と前記貯留領域の間には前記貯留領域の前壁を構成する特定前壁部が設けられており、
前記貯留領域を構成する後壁部の高さを越える位置まで遊技媒体が前記貯留領域に貯留された場合であっても、前記可動部方向への転動を阻害しうるように前記特定前壁部の高さを該特定前壁部の後方に位置する後壁部よりも高く構成され、
遊技媒体が遊技に応じて払い出される場合、前記貯留領域に設けられた皿球供給口から遊技媒体が払い出されて貯留領域に貯留されるものであり、
前記貯留領域を構成する前壁のうち前記皿球供給口の前側は前記特定前壁部よりも低い高さで形成されており、
前記特定前壁部は、前記可動部の外形形状の少なくとも一部に合わせた特定形状を有する」ものであることを特徴とする。
また、上記発明とは別に以下の手段を採用してもよい。
手段１：遊技機において、
「遊技が行われる遊技領域の外周を区画している前構成部材と、
該前構成部材の後側に設けられており、前面に前記遊技領域が形成されている透明平板状の遊技パネルと、
該遊技パネルの後側で、正面視前記遊技領域の中央において前記遊技パネルを通して前方から視認可能に設けられており、演出画像を表示可能な演出表示手段と、
該演出表示手段よりも前方で前記遊技パネルの後側に所定方向へ移動可能に設けられており、該所定方向の一方側である特定側へ移動させる力が常時作用している可動装飾体と、
前記所定方向へ延びている本体部、及び該本体部の前記特定側の端部とは反対側の端部から直角に突出している規制部を備え、該規制部が前記可動装飾体と当接して該可動装飾体の前記特定側への移動を規制するロック位置と、該ロック位置から前記規制部が前記特定側とは反対側へ移動して前記可動装飾体との当接が解除される解除位置との間で、前記本体部の前記特定側の端部を中心として前後に延びた軸周りに回動可能に前記遊技パネルの後側に設けられているロック部材と、
前記遊技パネルの後側で前記所定方向へ移動可能に設けられており、前記特定側の移動端への移動により前記ロック部材を前記ロック位置から前記解除位置へ回動させると共に、前記可動装飾体を、前記特定側の移動端の位置から前記ロック部材により前記特定側への移動が規制可能となる位置まで移動させることが可能なスライドガイドと、
該スライドガイドを移動させる駆動手段と
を具備している」ものであることを特徴とする。
【手続補正８】
【補正対象書類名】明細書
【補正対象項目名】０１２４
【補正方法】変更
【補正の内容】
【０１２４】
このように、本発明によれば、遊技者の興趣の低下を抑制させることが可能な遊技機を提供することができる。
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
遊技球を貯留可能な上皿領域および下皿領域を有し、遊技領域の下方において前方へ膨出する皿手段を備える遊技機であって、
前記皿手段には、遊技者による操作を受付可能な操作手段が設けられ、
前記操作手段が設けられる前記皿手段の空間の一部は、前記上皿領域を構成する部材によって形成され、
前記操作手段は、操作を受付可能な操作受付部と、該操作受付部を遊技者の操作によらずに動作可能とする操作受付部動作手段とを備え、且つ、高さ方向において、該操作手段のうしろに位置する箇所の前記上皿領域よりも上側の位置から該上皿領域よりも下側までに亘る大きさを有し、前記操作受付部動作手段が前記上皿領域を構成する部材の下方に入り込むように設けられ、
前記操作受付部動作手段によって前記操作受付部が動作されたとき、動作される前に視認困難であった操作手段の一部が視認可能である
ことを特徴とする遊技機。
【手続補正２】
【補正対象書類名】明細書
【補正対象項目名】０００３
【補正方法】変更
【補正の内容】
【０００３】
この種の遊技機として、遊技領域内で遊技が行われることにより変化する遊技状態に応じて、前後に延びた軸周りに回転可能な回転装飾体が、正面視遊技領域の下部から中央側へ上昇した上で回転する可動演出ユニットを、備えたものが提案されている（例えば、特許文献１）。この特許文献１の技術によれば、遊技状態に応じて回転装飾体が遊技領域の中央へ上昇して回転するため、遊技者に対してチャンスの到来を示唆させることができ、遊技に対する期待感を高めさせて興趣の低下を抑制させることができる。
【手続補正３】
【補正対象書類名】明細書
【補正対象項目名】０００４
【補正方法】変更
【補正の内容】
【０００４】
しかしながら、特許文献１に記載の遊技機含め、遊技者参加型演出を行うための操作部については遊技者が操作し易い膨出部に設けられることが多いが、操作部を設けるための膨出部のスペースは限られていることから操作部の大きさ等においてありきたりなものとなっており、遊技に対する興趣の低下を招くおそれがあった。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】変更
【補正の内容】
【０００７】
【特許文献１】特開２０１５−１４６８８１号公報
【手続補正７】
【補正対象書類名】明細書
【補正対象項目名】０００８
【補正方法】変更
【補正の内容】
【０００８】
そこで、本発明は、上記の実情を鑑み、遊技者の遊技に対する興趣の低下を抑制させることが可能な遊技機の提供を課題とする。
【手続補正８】
【補正対象書類名】明細書
【補正対象項目名】０００９
【補正方法】変更
【補正の内容】
【０００９】
上記課題を解決するために、本願発明は、
遊技球を貯留可能な上皿領域および下皿領域を有し、遊技領域の下方において前方へ膨出する皿手段を備える遊技機であって、
前記皿手段には、遊技者による操作を受付可能な操作手段が設けられ、
前記操作手段が設けられる前記皿手段の空間の一部は、前記上皿領域を構成する部材によって形成され、
前記操作手段は、操作を受付可能な操作受付部と、該操作受付部を遊技者の操作によらずに動作可能とする操作受付部動作手段とを備え、且つ、高さ方向において、該操作手段のうしろに位置する箇所の前記上皿領域よりも上側の位置から該上皿領域よりも下側までに亘る大きさを有し、前記操作受付部動作手段が前記上皿領域を構成する部材の下方に入り込むように設けられ、
前記操作受付部動作手段によって前記操作受付部が動作されたとき、動作される前に視認困難であった操作手段の一部が視認可能である
ことを特徴とする。
また、上記発明とは別に以下の手段を採用しても良い。
手段１：遊技機において、
「遊技が行われる遊技領域の外周を区画している前構成部材と、
該前構成部材の後側に設けられており、前面に前記遊技領域が形成されている透明平板状の遊技パネルと、
該遊技パネルの後側で所定方向へ移動可能に設けられており、該所定方向の一方側である特定側へ移動させる力が常時作用している可動装飾体と、
前記遊技パネルの後側における前記可動装飾体の前記特定側とは反対側の移動端付近に設けられており、前記可動装飾体と当接することにより前記特定側への移動を規制するロック位置と、前記可動装飾体と当接しないことにより前記特定側への移動の規制を解除する解除位置との間で移動可能なロック部材と、
前記遊技パネルの後側で前記所定方向へ移動可能に設けられており、前記可動装飾体に前記特定側から当接可能なスライドガイドと、
前記遊技パネルの後側において、前記所定方向へ延びていると共に該所定方向へスライド可能に設けられており、前記可動装飾体の前記特定側の移動端付近において前記スライドガイドと当接可能な解除当接部、及び前記特定側へのスライドにより前記ロック部材を前記ロック位置から前記解除位置へ移動させる伝達部、を有している伝達スライダと、
前記遊技パネルの後側に設けられており、前記スライドガイドを、前記伝達スライダの前記解除当接部と当接させた状態で前記伝達スライダを前記特定側へスライドさせて前記ロック部材を前記ロック位置から前記解除位置へ移動させた位置と前記可動装飾体が前記ロック部材により前記特定側への移動が規制可能となる位置との間で、移動させる駆動手段と
を具備している」ものであることを特徴とする。
【手続補正９】
【補正対象書類名】明細書
【補正対象項目名】０１５６
【補正方法】変更
【補正の内容】
【０１５６】
このように、本発明によれば、遊技者の遊技に対する興趣の低下を抑制させることが可能な遊技機を提供することができる。
3 / 3
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
基地局から、Ｒａｄｉｏ  Ｒｅｓｏｕｒｃｅ  Ｃｏｎｔｒｏｌ（ＲＲＣ）シグナリングを用いて送信される複数の参照信号の識別情報と、前記複数の参照信号と、を受信する受信部と、
前記複数の参照信号の受信特性と、前記識別情報と、に基づいて前記複数の参照信号から少なくとも２つの参照信号を選択する制御部と、
前記識別情報に基づいて、前記基地局に、前記少なくとも２つの参照信号を示すフィードバック情報を送信する送信部と、を有し、
前記受信部は、前記基地局から、ユーザ装置がビームグループで構成されるかどうかを示す情報を受信し、
前記情報に基づいて前記ユーザ装置がビームグループで構成される場合、前記制御部は、前記複数の参照信号から少なくとも１つの参照信号を選択することを特徴とするユーザ装置。
【請求項２】
前記複数の参照信号のそれぞれは、チャネル状態情報参照信号（ＣＳＩ−ＲＳ）であることを特徴とする請求項１に記載のユーザ装置。
【請求項３】
基地局とユーザ装置とを有する無線通信システムであって、
前記基地局は、前記ユーザ装置に、Ｒａｄｉｏ  Ｒｅｓｏｕｒｃｅ  Ｃｏｎｔｒｏｌ（ＲＲＣ）シグナリングを用いて送信される複数の参照信号の識別情報と、前記複数の参照信号と、を送信し、
前記ユーザ装置は、前記複数の参照信号の受信特性と、前記識別情報と、に基づいて、前記複数の参照信号から少なくとも２つの参照信号を選択し、
前記ユーザ装置は、前記識別情報に基づいて、前記基地局に、前記少なくとも２つの参照信号を示すフィードバック情報を送信し、
前記ユーザ装置は、前記基地局から、前記ユーザ装置がビームグループで構成されるかどうかを示す情報を受信し、
前記情報に基づいて前記ユーザ装置がビームグループで構成される場合、前記ユーザ装置は、前記複数の参照信号から少なくとも１つの参照信号を選択することを特徴とする無線通信システム。
【請求項４】
前記複数の参照信号のそれぞれは、チャネル状態情報参照信号（ＣＳＩ−ＲＳ）であることを特徴とする請求項３に記載の無線通信システム。
【手続補正２】
【補正対象書類名】明細書
【補正対象項目名】発明の名称
【補正方法】変更
【補正の内容】
【発明の名称】ユーザ装置及び無線通信システム
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
遊技動作を統括的に制御して所定の制御コマンドを送信可能な主制御手段と、
所定の始動条件が成立した場合に複数種類の識別情報が変動表示される際、始動条件が成立したが未だ開始されていない識別情報の変動表示を行う権利を所定の上限数まで記憶する保留記憶手段と、
前記所定の制御コマンドを受信することに基づいて各種の演出動作を制御するサブ制御手段と、
種々の画像を表示する表示手段と、を有し、
前記保留記憶手段に第１の権利の数が記憶され、前記表示手段に該第１の権利の数が表示された状態において、
前記識別情報が変動開始され、前記保留記憶手段に記憶されている第１の権利の数から減算され第２の権利の数になったことを示すコマンドが前記主制御手段から送信されたにも係らず、前記サブ制御手段にて受信できなかった場合、
前記表示手段に、前記第２の権利の数を表示させず、前記第１の権利の数を表示し、
更に、前記保留記憶手段に前記第２の権利の数が記憶された状態で、前記所定の始動条件が成立して前記保留記憶手段に記憶されている前記第２の権利の数から増加され第１の権利の数になった場合に、第１の権利の数になったことを示すコマンドが前記主制御手段から送信され、前記サブ制御手段にて受信されても、前記表示手段に、前記第２の権利の数から増加され前記第１の権利の数になることに対応したアニメーションを表示させないようにしてなる遊技機。
【手続補正２】
【補正対象書類名】明細書
【補正対象項目名】０００１
【補正方法】変更
【補正の内容】
【０００１】
本発明は、パチンコ機、アレンジボール機、雀球遊技機、スロットなどの遊技機に関し、より詳しくは、遊技者が不自然に感じることなく、遊技を継続することができる遊技機に関する。
【手続補正３】
【補正対象書類名】明細書
【補正対象項目名】０００４
【補正方法】変更
【補正の内容】
【０００４】
しかしながら、上記の遊技機は、遊技者が不自然に感じることなく、遊技を継続することができないという問題があった。
【手続補正４】
【補正対象書類名】明細書
【補正対象項目名】０００５
【補正方法】変更
【補正の内容】
【０００５】
そこで本発明は、上記問題に鑑み、遊技者が不自然に感じることなく、遊技を継続することができる遊技機を提供することを目的としている。
【手続補正５】
【補正対象書類名】明細書
【補正対象項目名】０００７
【補正方法】変更
【補正の内容】
【０００７】
請求項１の発明に係る遊技機によれば、遊技動作を統括的に制御して所定の制御コマンドを送信可能な主制御手段（例えば、図７に示す主制御ＣＰＵ６００ａ）と、
所定の始動条件が成立した場合に複数種類の識別情報が変動表示される際、始動条件が成立したが未だ開始されていない識別情報の変動表示を行う権利を所定の上限数まで記憶する保留記憶手段（例えば、図９（ａ）に示す通常用ＲＡＭ領域６００ｃａ）と、
前記所定の制御コマンドを受信することに基づいて各種の演出動作を制御するサブ制御手段（例えば、図７に示すサブ制御ＣＰＵ８００ａ）と、
種々の画像を表示する表示手段（例えば、図５に示す液晶表示装置４１）と、を有し、
前記保留記憶手段（例えば、図９（ａ）に示す通常用ＲＡＭ領域６００ｃａ）に第１の権利の数（例えば、始動保留球数が３個）が記憶され、前記表示手段（例えば、図５に示す液晶表示装置４１）に該第１の権利の数（例えば、始動保留球数が３個）が表示された状態（例えば、図１９（ａ−２）参照）において、
前記識別情報が変動開始され、前記保留記憶手段（例えば、図９（ａ）に示す通常用ＲＡＭ領域６００ｃａ）に記憶されている第１の権利の数（例えば、始動保留球数が３個）から減算され第２の権利の数（例えば、始動保留球数が２個）になったことを示すコマンドが前記主制御手段（例えば、図７に示す主制御ＣＰＵ６００ａ）から送信されたにも係らず、前記サブ制御手段（例えば、図７に示すサブ制御ＣＰＵ８００ａ）にて受信できなかった場合、
前記表示手段（例えば、図５に示す液晶表示装置４１）に、前記第２の権利の数（例えば、始動保留球数が２個）を表示させず、前記第１の権利の数（例えば、始動保留球数が３個）を表示し、
更に、前記保留記憶手段（例えば、図９（ａ）に示す通常用ＲＡＭ領域６００ｃａ）に前記第２の権利の数（例えば、始動保留球数が２個）が記憶された状態で、前記所定の始動条件が成立して前記保留記憶手段（例えば、図９（ａ）に示す通常用ＲＡＭ領域６００ｃａ）に記憶されている前記第２の権利の数（例えば、始動保留球数が２個）から増加され第１の権利の数（例えば、始動保留球数が３個）になった場合に、第１の権利の数（例えば、始動保留球数が３個）になったことを示すコマンドが前記主制御手段（例えば、図７に示す主制御ＣＰＵ６００ａ）から送信され、前記サブ制御手段（例えば、図７に示すサブ制御ＣＰＵ８００ａ）にて受信されても、前記表示手段（例えば、図５に示す液晶表示装置４１）に、前記第２の権利の数（例えば、始動保留球数が２個）から増加され前記第１の権利の数（例えば、始動保留球数が３個）になることに対応したアニメーションを表示させないようにしてなることを特徴としている。
【手続補正６】
【補正対象書類名】明細書
【補正対象項目名】０００８
【補正方法】変更
【補正の内容】
【０００８】
本発明によれば、遊技者が不自然に感じることなく、遊技を継続することができる。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
遊技動作を統括的に制御して所定の制御コマンドを送信可能な主制御手段と、
所定の始動条件が成立した場合に複数種類の識別情報が変動表示される際、始動条件が成立したが未だ開始されていない識別情報の変動表示を行う権利を所定の上限数まで記憶する保留記憶手段と、
前記所定の制御コマンドを受信することに基づいて各種の演出動作を制御するサブ制御手段と、
装飾図柄を含む種々の画像を表示する表示手段と、を有し、
前記保留記憶手段に第１の権利の数が記憶され、前記表示手段に該第１の権利の数が表示された状態において、
前記識別情報の変動表示が開始され、前記保留記憶手段に記憶されている第１の権利の数から減算され第２の権利の数になったことを示す保留コマンドと、変動パターンコマンドが前記主制御手段から送信されたにも係らず、前記サブ制御手段にて前記変動パターンコマンドは受信できたが、当該保留コマンドは受信できなかった場合、前記表示手段に、前記第２の権利の数を表示させず、前記第１の権利の数を表示したままで前記装飾図柄の変動表示を行い、
前記保留記憶手段に前記第２の権利の数が記憶され、前記表示手段に前記第１の権利の数が表示されたままの状態で、前記識別情報の変動表示が開始されると、前記保留記憶手段に記憶されている前記第２の権利の数から減算され第３の権利の数になったことを示す保留コマンドが前記主制御手段から送信され、当該保留コマンドを前記サブ制御手段にて受信すると、前記表示手段に、前記第２の権利の数から減算され前記第３の権利の数になることに対応したアニメーションを表示させてなる遊技機。
【手続補正２】
【補正対象書類名】明細書
【補正対象項目名】０００１
【補正方法】変更
【補正の内容】
【０００１】
本発明は、パチンコ機、アレンジボール機、雀球遊技機、スロットなどの遊技機に関し、より詳しくは、遊技者が不自然に感じることなく、遊技を継続することができる遊技機に関する。
【手続補正３】
【補正対象書類名】明細書
【補正対象項目名】０００４
【補正方法】変更
【補正の内容】
【０００４】
しかしながら、上記の遊技機は、遊技者が不自然に感じることなく、遊技を継続することができないという問題があった。
【手続補正４】
【補正対象書類名】明細書
【補正対象項目名】０００５
【補正方法】変更
【補正の内容】
【０００５】
そこで本発明は、上記問題に鑑み、遊技者が不自然に感じることなく、遊技を継続することができる遊技機を提供することを目的としている。
【手続補正５】
【補正対象書類名】明細書
【補正対象項目名】０００７
【補正方法】変更
【補正の内容】
【０００７】
請求項１の発明に係る遊技機によれば、遊技動作を統括的に制御して所定の制御コマンドを送信可能な主制御手段（例えば、図７に示す主制御ＣＰＵ６００ａ）と、
所定の始動条件が成立した場合に複数種類の識別情報が変動表示される際、始動条件が成立したが未だ開始されていない識別情報の変動表示を行う権利を所定の上限数まで記憶する保留記憶手段（例えば、図９（ａ）に示す通常用ＲＡＭ領域６００ｃａ）と、
前記所定の制御コマンドを受信することに基づいて各種の演出動作を制御するサブ制御手段（例えば、図７に示すサブ制御ＣＰＵ８００ａ）と、
装飾図柄を含む種々の画像を表示する表示手段（例えば、図５に示す液晶表示装置４１）と、を有し、
前記保留記憶手段（例えば、図９（ａ）に示す通常用ＲＡＭ領域６００ｃａ）に第１の権利の数（例えば、始動保留球数が３個）が記憶され、前記表示手段（例えば、図５に示す液晶表示装置４１）に該第１の権利の数（例えば、始動保留球数が３個）が表示された状態（例えば、図１９（ａ−２）参照）において、
前記識別情報の変動表示が開始され、前記保留記憶手段（例えば、図９（ａ）に示す通常用ＲＡＭ領域６００ｃａ）に記憶されている第１の権利の数（例えば、始動保留球数が３個）から減算され第２の権利の数（例えば、始動保留球数が２個）になったことを示す保留コマンドと、変動パターンコマンドが前記主制御手段（例えば、図７に示す主制御ＣＰＵ６００ａ）から送信されたにも係らず、前記サブ制御手段（例えば、図７に示すサブ制御ＣＰＵ８００ａ）にて前記変動パターンコマンドは受信できたが、当該保留コマンドは受信できなかった場合、前記表示手段（例えば、図５に示す液晶表示装置４１）に、前記第２の権利の数（例えば、始動保留球数が２個）を表示させず、前記第１の権利の数（例えば、始動保留球数が３個）を表示したままで前記装飾図柄の変動表示を行い（例えば、図１９（ｃ−１）参照）、
前記保留記憶手段（例えば、図９（ａ）に示す通常用ＲＡＭ領域６００ｃａ）に前記第２の権利の数（例えば、始動保留球数が２個）が記憶され、前記表示手段（例えば、図５に示す液晶表示装置４１）に前記第１の権利の数（例えば、始動保留球数が３個）が表示されたままの状態で、前記識別情報の変動表示が開始されると、前記保留記憶手段（例えば、図９（ａ）に示す通常用ＲＡＭ領域６００ｃａ）に記憶されている前記第２の権利の数（例えば、始動保留球数が２個）から減算され第３の権利の数（例えば、始動保留球数が１個）になったことを示す保留コマンドが前記主制御手段（例えば、図７に示す主制御ＣＰＵ６００ａ）から送信され、当該保留コマンドを前記サブ制御手段（例えば、図７に示すサブ制御ＣＰＵ８００ａ）にて受信すると、前記表示手段（例えば、図５に示す液晶表示装置４１）に、前記第２の権利の数（例えば、始動保留球数が２個）から減算され前記第３の権利の数（例えば、始動保留球数が１個）になることに対応したアニメーションを表示させてなる（例えば、図１７（ｃ−３）〜（ｃ−５）参照）ことを特徴としている。
【手続補正６】
【補正対象書類名】明細書
【補正対象項目名】０００８
【補正方法】変更
【補正の内容】
【０００８】
本発明によれば、遊技者が不自然に感じることなく、遊技を継続することができる。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
所定の遊技プログラムに、所定の条件の成立に基づいて遊技に供する遊技価値に関する所定の値を計測する計測処理と、特別遊技状態を発生させるか否かの抽選を行う抽選処理を有する遊技機であって、
前記所定の遊技プログラムは、所定のモジュールを呼び出すことができる複数のコール命令を含み、
前記複数のコール命令は、第１のコール命令と、第２のコール命令と、を含み、
前記第１のコール命令は、前記複数のコール命令のうち、呼び出すサブルーチンのアドレス番地に制限がなく、
前記第２のコール命令は、第１のコール命令より小さいプログラムコードのデータ量であり、且つ、前記複数のコール命令のうち、呼び出すサブルーチンのアドレス番地は予め決められた範囲内であり、
前記所定の遊技プログラムは、遊技処理時に使用される通常用プログラムと、遊技価値に関する所定の値を計測する際に使用される計測用プログラムと、を有し、
前記計測処理は、前記通常用プログラムから前記第１のコール命令によって呼び出される計測用プログラム内の第１モジュールとして構成し、
前記抽選処理は、前記通常用プログラムから前記第２のコール命令によって呼び出される通常用プログラム内の第２モジュールとして構成される遊技機。
【手続補正２】
【補正対象書類名】明細書
【補正対象項目名】０００１
【補正方法】変更
【補正の内容】
【０００１】
本発明は、パチンコ機、アレンジボール機、雀球遊技機、スロットなどの遊技機に関し、より詳しくは、プログラムの処理負荷軽減と、プログラム容量の削減を図ることができる遊技機に関する。
【手続補正３】
【補正対象書類名】明細書
【補正対象項目名】０００４
【補正方法】変更
【補正の内容】
【０００４】
しかしながら、上記の遊技機は、表示する内容に備えてバッファを複数用意し、切替処理を行うことで表示するようにしているため、プログラムの処理負荷軽減と、プログラム容量の削減を図ることができていないという問題があった。
【手続補正４】
【補正対象書類名】明細書
【補正対象項目名】０００５
【補正方法】変更
【補正の内容】
【０００５】
そこで本発明は、上記問題に鑑み、プログラムの処理負荷軽減と、プログラム容量の削減を図ることができる遊技機を提供することを目的としている。
【手続補正５】
【補正対象書類名】明細書
【補正対象項目名】０００７
【補正方法】変更
【補正の内容】
【０００７】
請求項１の発明に係る遊技機によれば、所定の遊技プログラムに、所定の条件の成立に基づいて遊技に供する遊技価値に関する所定の値を計測する計測処理と、特別遊技状態を発生させるか否かの抽選を行う抽選処理を有する遊技機であって、
前記所定の遊技プログラムは、所定のモジュールを呼び出すことができる複数のコール命令を含み、
前記複数のコール命令は、第１のコール命令（例えば、ＣＡＬＬ命令）と、第２のコール命令（例えば、ＣＡＬＬ_Ｍ命令）と、を含み、
前記第１のコール命令（例えば、ＣＡＬＬ命令）は、前記複数のコール命令のうち、呼び出すサブルーチンのアドレス番地に制限がなく（例えば、明細書段落［０１５５］参照）、
前記第２のコール命令（例えば、ＣＡＬＬ_Ｍ命令）は、第１のコール命令（例えば、ＣＡＬＬ命令）より小さいプログラムコードのデータ量であり、且つ、前記複数のコール命令のうち、呼び出すサブルーチンのアドレス番地は予め決められた範囲内であり（例えば、明細書段落［０１５３］参照）、
前記所定の遊技プログラムは、遊技処理時に使用される通常用プログラム（例えば、図９（ｂ）に示す通常用プログラム領域６００ｂａに格納されているプログラム）と、遊技価値に関する所定の値を計測する際に使用される計測用プログラム（例えば、図９（ｂ）に示す計測用プログラム領域６００ｂｅに格納されているプログラム）と、を有し、
前記計測処理は、前記通常用プログラム（例えば、図９（ｂ）に示す通常用プログラム領域６００ｂａに格納されているプログラム）から前記第１のコール命令（例えば、ＣＡＬＬ命令）によって呼び出される計測用プログラム（例えば、図９（ｂ）に示す計測用プログラム領域６００ｂｅに格納されているプログラム）内の第１モジュールとして構成し（例えば、図１６（ｆ）参照）、
前記抽選処理は、前記通常用プログラム（例えば、図９（ｂ）に示す通常用プログラム領域６００ｂａに格納されているプログラム）から前記第２のコール命令（例えば、ＣＡＬＬ_Ｍ命令）によって呼び出される通常用プログラム（例えば、図９（ｂ）に示す通常用プログラム領域６００ｂａに格納されているプログラム）内の第２モジュールとして構成される（例えば、図１６（ｆ）参照）ことを特徴としている。
【手続補正６】
【補正対象書類名】明細書
【補正対象項目名】０００８
【補正方法】変更
【補正の内容】
【０００８】
本発明によれば、プログラムの処理負荷軽減と、プログラム容量の削減を図ることができる。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
１）１つ以上の試験物質、１つ以上の生体物質、および１つ以上の試験位置に配設された生体物質により生成される熱に応答して反応する１つ以上のサーモクロミック材料を有する試験容器を受容するように構成されるコンパートメントを含むインキュベーションチャンバと、
２）測定光を発光するように構成された１つ以上の光エミッタを含む測定光源と、
３）前記測定光に応答して前記サーモクロミック材料から放射される光をセンシングするように構成される１つ以上のフォトセンシング素子を含む検出器サブシステムであって、前記検出器サブシステムが、前記サーモクロミック材料から放出する光のスペクトルについての情報を含む電気シグナルを提供するように構成され、前記放出光のスペクトルが、前記サーモクロミック材料の温度変化を生じる前記１つ以上の生体物質の代謝の指標であるサブシステムと
を含むシステム。
【請求項２】
前記試験容器が標準試験プレートを含み、前記１つ以上の位置が前記試験プレートの試験ウェルを含む、請求項１に記載のシステム。
【請求項３】
前記電気シグナルに基づいて各試験位置での前記サーモクロミック材料から放射される光のスペクトルシフトを決定するように構成される分析器をさらに含む、請求項１に記載のシステム。
【手続補正書】
【提出日】令和1年12月19日(2019.12.19)
【手続補正１】
【補正対象書類名】明細書
【補正対象項目名】発明の名称
【補正方法】変更
【補正の内容】
【発明の名称】グラフェン化合物の作製方法、正極活物質層の作製方法、二次電池の作製方法
【手続補正２】
【補正対象書類名】特許請求の範囲
【補正対象項目名】全文
【補正方法】変更
【補正の内容】
【特許請求の範囲】
【請求項１】
黒鉛の層間に硫酸または硫酸イオンを挿入し、
前記挿入後に、硫酸塩を含む水溶液または有機溶媒で前記黒鉛を洗浄し、
前記洗浄後に、前記黒鉛を加熱して膨張化黒鉛を形成し、
前記膨張化黒鉛に超音波処理を行って剥離された黒鉛層を形成し、
前記黒鉛層を酸化させてグラフェン化合物を形成するグラフェン化合物の作製方法。
【請求項２】
黒鉛の層間に硫酸または硫酸イオンを挿入し、
前記挿入後に、硫酸塩を含む水溶液または有機溶媒で前記黒鉛を洗浄し、
前記洗浄後に、前記黒鉛を加熱して膨張化黒鉛を形成し、
前記膨張化黒鉛を酸化させ、
前記酸化後に、超音波処理を行って剥離させてグラフェン化合物を形成するグラフェン化合物の作製方法。
【請求項３】
請求項１または請求項２において、
前記硫酸塩は、硫酸マグネシウム、硫酸カリウムまたは硫酸チタンであるグラフェン化合物の作製方法。
【請求項４】
請求項１乃至３のいずれか一において、
前記硫酸塩を含む水溶液は、硫酸マグネシウムの飽和水溶液、硫酸カリウムの飽和水溶液、または硫酸チタンの飽和水溶液であるグラフェン化合物の作製方法。
【請求項５】
黒鉛の層間に硫酸または硫酸イオンを挿入し、
前記挿入後に、有機溶媒で前記黒鉛を洗浄し、
前記洗浄後に、前記黒鉛を加熱して膨張化黒鉛を形成し、
前記膨張化黒鉛に超音波処理を行って剥離された黒鉛層を形成するグラフェン化合物の作製方法。
【請求項６】
請求項１乃至５のいずれか一において、
前記有機溶媒は、γ−ブチロラクトンであるグラフェン化合物の作製方法。
【請求項７】
請求項１乃至６のいずれか一において、
前記黒鉛は鱗状黒鉛であるグラフェン化合物の作製方法。
【請求項８】
請求項１乃至７のいずれか一において、
前記超音波処理は、前記膨張化黒鉛を分散媒中に入れた状態で行うグラフェン化合物の作製方法。
【請求項９】
黒鉛の層間に硫酸または硫酸イオンを挿入し、
前記挿入後に、硫酸塩を含む水溶液または有機溶媒で前記黒鉛を洗浄し、
前記洗浄後に、前記黒鉛を加熱して膨張化黒鉛を形成し、
前記膨張化黒鉛に超音波処理を行って剥離された黒鉛層を形成し、
前記黒鉛層を酸化させてグラフェン化合物を形成し、
正極活物質と、前記グラフェン化合物と、を混合して正極活物質層を形成する正極活物質層の作製方法。
【請求項１０】
黒鉛の層間に硫酸または硫酸イオンを挿入し、
前記挿入後に、硫酸塩を含む水溶液または有機溶媒で前記黒鉛を洗浄し、
前記洗浄後に、前記黒鉛を加熱して膨張化黒鉛を形成し、
前記膨張化黒鉛を酸化させ、
前記酸化後に、超音波処理を行って剥離させてグラフェン化合物を形成し、
正極活物質と、前記グラフェン化合物と、を混合して正極活物質層を形成する正極活物質層の作製方法。
【請求項１１】
請求項９または請求項１０において、
前記硫酸塩は、硫酸マグネシウム、硫酸カリウムまたは硫酸チタンである正極活物質層の作製方法。
【請求項１２】
請求項９乃至１１のいずれか一において、
前記硫酸塩を含む水溶液は、硫酸マグネシウムの飽和水溶液、硫酸カリウムの飽和水溶液、または硫酸チタンの飽和水溶液である正極活物質層の作製方法。
【請求項１３】
黒鉛の層間に硫酸または硫酸イオンを挿入し、
前記挿入後に、有機溶媒で前記黒鉛を洗浄し、
前記洗浄後に、前記黒鉛を加熱して膨張化黒鉛を形成し、
前記膨張化黒鉛に超音波処理を行って剥離させてグラフェン化合物を形成し、
正極活物質と、前記グラフェン化合物と、を混合して正極活物質層を形成する正極活物質層の作製方法。
【請求項１４】
請求項９乃至１３のいずれか一において、
前記有機溶媒は、γ−ブチロラクトンである正極活物質層の作製方法。
【請求項１５】
請求項９乃至１４のいずれか一において、
前記黒鉛は鱗状黒鉛である正極活物質層の作製方法。
【請求項１６】
請求項９乃至１５のいずれか一において、
前記超音波処理は、前記膨張化黒鉛を分散媒中に入れた状態で行う正極活物質層の作製方法。
【請求項１７】
黒鉛の層間に硫酸または硫酸イオンを挿入し、
前記挿入後に、硫酸塩を含む水溶液または有機溶媒で前記黒鉛を洗浄し、
前記洗浄後に、前記黒鉛を加熱して膨張化黒鉛を形成し、
超音波処理を行って剥離された黒鉛層を形成し、
前記超音波処理の前または後に酸化させてグラフェン化合物を形成し、
前記グラフェン化合物を活物質と混合してペーストを形成し、
前記ペーストを集電体に塗布して第１の電極を形成し、
前記第１の電極に対してセパレータを間に挟んで第２の電極と重ねて二次電池を形成する二次電池の作製方法。
【請求項１８】
請求項１７において、
前記硫酸塩を含む水溶液は、硫酸マグネシウムの飽和水溶液、硫酸カリウムの飽和水溶液、または硫酸チタンの飽和水溶液である二次電池の作製方法。
【請求項１９】
請求項１７または請求項１８において、
前記有機溶媒は、γ−ブチロラクトンである二次電池の作製方法。
【請求項２０】
硫酸または硫酸イオンが挿入されたステージ７の膨張黒鉛を加熱し、
前記加熱後に、超音波処理と酸化処理を行ってグラフェン化合物を形成し、
正極活物質と、前記グラフェン化合物と、を混合して正極活物質層を形成する正極活物質層の作製方法。
【請求項２１】
硫酸または硫酸イオンが挿入されたステージ３またはステージ４の膨張黒鉛を加熱し、
前記加熱後に、超音波処理と酸化処理を行ってグラフェン化合物を形成し、
正極活物質と、前記グラフェン化合物と、を混合して正極活物質層を形成する正極活物質層の作製方法。
【請求項２２】
ＸＲＤスペクトルにおいて、２θが２４度から２７度に第１のピークを有し、２７度から３１度に第２のピークを有する炭素材料を加熱し、
前記加熱後に、超音波処理と酸化処理を行ってグラフェン化合物を形成し、
正極活物質と、前記グラフェン化合物と、を混合して正極活物質層を形成する正極活物質層の作製方法。
【請求項２３】
ＸＲＤスペクトルにおいて、２θが２２度から２７度に第１のピークを有し、２８度から３２度に第２のピークを有し、５５度から５７度に第３のピークを有する炭素材料を加熱し、
前記加熱後に、超音波処理と酸化処理を行ってグラフェン化合物を形成し、
正極活物質と、前記グラフェン化合物と、を混合して正極活物質層を形成する正極活物質層の作製方法。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
自己分散顔料を含有するインクジェット用の水性インクであって、
下記一般式（Ｉ）で表される化合物を含有することを特徴とする水性インク。
2017119834.tif 000001
（前記一般式（Ｉ）中、Ｒ１は、それぞれ独立に、水素原子又はアルキル基を表す）
【請求項２】
前記自己分散顔料が、顔料の粒子表面に他の原子団を介してアニオン性基が結合した自己分散顔料である請求項１に記載の水性インク。
【請求項３】
前記アニオン性基が、カルボン酸基である請求項２に記載の水性インク。
【請求項４】
前記自己分散顔料が、顔料の粒子表面にフタル酸基が結合した自己分散顔料である請求項１乃至３のいずれか１項に記載の水性インク。
【請求項５】
前記自己分散顔料の表面電荷量（ｍｍｏｌ／ｇ）が、０．０２５ｍｍｏｌ／ｇ以上１．０００ｍｍｏｌ／ｇ以下である請求項１乃至４のいずれか１項に記載の水性インク。
【請求項６】
前記一般式（Ｉ）で表される化合物の濃度（ｍｍｏｌ／ｋｇ）が、０．５０ｍｍｏｌ／ｋｇ以上５．００ｍｍｏｌ／ｋｇ以下である請求項１乃至５のいずれか１項に記載の水性インク。
【請求項７】
前記自己分散顔料の顔料種が、カーボンブラックである請求項１乃至６のいずれか１項に記載の水性インク。
【請求項８】
前記自己分散顔料の含有量（質量％）が、インク全質量を基準として、０．１０質量％以上１５．００質量％以下である請求項１乃至７のいずれか１項に記載の水性インク。
【請求項９】
さらに、（ｉ）アルカリ金属イオン、アンモニウムイオン、及び有機アンモニウムイオンからなる群から選ばれる少なくとも１種のカチオン、及び、Ｃｌ−、Ｂｒ−、Ｉ−、ＣｌＯ−、ＣｌＯ２−、ＣｌＯ３−、ＣｌＯ４−、ＮＯ２−、ＮＯ３−、ＳＯ４２−、ＣＯ３２−、ＨＣＯ３−、ＨＣＯＯ−、（ＣＯＯ−）２、ＣＯＯＨ（ＣＯＯ−）、ＣＨ３ＣＯＯ−、Ｃ２Ｈ４（ＣＯＯ−）２、Ｃ６Ｈ５ＣＯＯ−、Ｃ６Ｈ４（ＣＯＯ−）２、ＰＯ４３−、ＨＰＯ４２−、及びＨ２ＰＯ４−からなる群から選ばれる少なくとも１種のアニオンが結合して構成される塩、及び、（ｉｉ）比誘電率が３２以下の水溶性有機溶剤、の少なくとも一方を含有する請求項１乃至８のいずれか１項に記載の水性インク。
【請求項１０】
インクと、前記インクを収容するインク収容部とを備えたインクカートリッジであって、
前記インクが、請求項１乃至９のいずれか１項に記載の水性インクであることを特徴とするインクカートリッジ。
【請求項１１】
インクをインクジェット方式の記録ヘッドから吐出して記録媒体に画像を記録するインクジェット記録方法であって、
前記インクが、請求項１乃至９のいずれか１項に記載の水性インクであることを特徴とするインクジェット記録方法。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
自己分散顔料を製造する方法であって、
下記一般式（１）で表される化合物、及び下記一般式（２）で表される化合物の少なくとも１種の処理剤を、顔料の粒子表面に反応させて、親水性基を含む官能基を前記顔料の粒子表面に結合させる工程を有することを特徴とする自己分散顔料の製造方法。
2017119835.tif 000001
（前記一般式（１）中、Ｒ１及びＲ２は、それぞれ独立に、アルキル基、アルコキシ基、アリール基、アリールオキシ基、又はＯＭを表し、Ｍは、それぞれ独立に、水素原子、アルカリ金属、アンモニウム、又は有機アンモニウムを表す。Ｒ３は、脂肪族基、芳香族基、又は脂肪族基と芳香族基とが直接結合若しくはリンカー構造を介して結合した基に、カルボン酸基、スルホン酸基、リン酸基、及びホスホン酸基からなる群より選ばれる少なくとも１種の親水性基が置換した基を表す）
2017119835.tif 000002
（前記一般式（２）中、Ｒ４及びＲ５は、それぞれ独立に、アルキル基、アルコキシ基、アリール基、アリールオキシ基、又はＯＭを表し、Ｍは、それぞれ独立に、水素原子、アルカリ金属、アンモニウム、又は有機アンモニウムを表す。Ｒ６は、脂肪族基、芳香族基、又は脂肪族基と芳香族基とが直接結合若しくはリンカー構造を介して結合した基に、カルボン酸基、スルホン酸基、リン酸基、及びホスホン酸基からなる群より選ばれる少なくとも１種の親水性基が置換した基を表す）
【請求項２】
前記一般式（１）中のＲ３、及び前記一般式（２）中のＲ６が、アリーレン基及び複数のカルボン酸基を含む構造である請求項１に記載の自己分散顔料の製造方法。
【請求項３】
前記一般式（１）中のＲ３、及び前記一般式（２）中のＲ６が、脂肪族基と芳香族基とがリンカー構造を介して結合した基であり、
前記リンカー構造が、−Ｏ−、−ＮＨ−、−ＣＯ−、−ＣＯＯ−、−ＣＯＮＨ−、−Ｎ＝Ｎ−、−ＳＯ−、又は−ＳＯ２−である請求項１又は２に記載の自己分散顔料の製造方法。
【請求項４】
前記一般式（１）中のＲ３、及び前記一般式（２）中のＲ６が、アミド結合（−ＣＯＮＨ−）及びホスホン酸基を含む構造を有する請求項３に記載の自己分散顔料の製造方法。
【請求項５】
前記工程を、ｐＨが１以上１３以下の条件下で行う請求項１乃至４のいずれか１項に記載の自己分散顔料の製造方法。
【請求項６】
前記工程を、酸化剤の存在下で行う請求項１乃至５のいずれか１項に記載の自己分散顔料の製造方法。
【請求項７】
前記工程を、液媒体中で行う請求項１乃至６のいずれか１項に記載の自己分散顔料の製造方法。
【請求項８】
前記工程を、水系で行う請求項１乃至６のいずれか１項に記載の自己分散顔料の製造方法。
【請求項９】
前記自己分散顔料を構成する顔料種が、無機顔料及び有機顔料の少なくとも１種である請求項１乃至８のいずれか１項に記載の自己分散顔料の製造方法。
【請求項１０】
前記自己分散顔料を構成する顔料種が、カーボンブラックである請求項１乃至８のいずれか１項に記載の自己分散顔料の製造方法。
【請求項１１】
自己分散顔料を含有するインクの製造方法であって、
前記自己分散顔料として、請求項１乃至１０のいずれか１項に記載の製造方法によって製造された自己分散顔料を用いることを特徴とするインクの製造方法。
【請求項１２】
インクをインクジェット方式の記録ヘッドから吐出して記録媒体に画像を記録するインクジェット記録方法であって、
前記インクとして、請求項１１に記載の製造方法によって製造されたインクを用いることを特徴とするインクジェット記録方法。
【手続補正２】
【補正対象書類名】明細書
【補正対象項目名】発明の名称
【補正方法】変更
【補正の内容】
【発明の名称】自己分散顔料の製造方法、インクの製造方法、及びインクジェット記録方法
【手続補正３】
【補正対象書類名】明細書
【補正対象項目名】０００１
【補正方法】変更
【補正の内容】
【０００１】
本発明は、自己分散顔料の製造方法、インクの製造方法、及びインクジェット記録方法に関する。
【手続補正４】
【補正対象書類名】明細書
【補正対象項目名】０００５
【補正方法】変更
【補正の内容】
【０００５】
したがって、本発明の目的は、インクなどの色材として有用な自己分散顔料の高反応効率な製造方法を提供することにある。また、本発明の別の目的は、前記自己分散顔料の製造方法によって製造される、分散性に優れた自己分散顔料を用いた、保存安定性に優れたインクの製造方法、及びインクジェット記録方法を提供することにある。
【手続補正５】
【補正対象書類名】明細書
【補正対象項目名】０００７
【補正方法】変更
【補正の内容】
【０００７】
2017119835.tif 000003
（前記一般式（１）中、Ｒ１及びＲ２は、それぞれ独立に、アルキル基、アルコキシ基、アリール基、アリールオキシ基、又はＯＭを表し、Ｍは、それぞれ独立に、水素原子、アルカリ金属、アンモニウム、又は有機アンモニウムを表す。Ｒ３は、脂肪族基、芳香族基、又は脂肪族基と芳香族基とが直接結合若しくはリンカー構造を介して結合した基に、カルボン酸基、スルホン酸基、リン酸基、及びホスホン酸基からなる群より選ばれる少なくとも１種の親水性基が置換した基を表す）
【手続補正６】
【補正対象書類名】明細書
【補正対象項目名】０００８
【補正方法】変更
【補正の内容】
【０００８】
2017119835.tif 000004
（前記一般式（２）中、Ｒ４及びＲ５は、それぞれ独立に、アルキル基、アルコキシ基、アリール基、アリールオキシ基、又はＯＭを表し、Ｍは、それぞれ独立に、水素原子、アルカリ金属、アンモニウム、又は有機アンモニウムを表す。Ｒ６は、脂肪族基、芳香族基、又は脂肪族基と芳香族基とが直接結合若しくはリンカー構造を介して結合した基に、カルボン酸基、スルホン酸基、リン酸基、及びホスホン酸基からなる群より選ばれる少なくとも１種の親水性基が置換した基を表す）
【手続補正７】
【補正対象書類名】明細書
【補正対象項目名】０００９
【補正方法】変更
【補正の内容】
【０００９】
本発明によれば、インクなどの色材として有用な自己分散顔料の高反応効率な製造方法を提供することができる。また、本発明によれば、この自己分散顔料の製造方法によって製造される、分散性に優れた自己分散顔料を用いた、保存安定性に優れたインクの製造方法、及びインクジェット記録方法を提供することができる。
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
自己分散顔料を含有するインクジェット用の水性インクであって、
芳香族スルフィン酸又はその塩、及び芳香族スルホン酸又はその塩を含有することを特徴とする水性インク。
【請求項２】
前記自己分散顔料が、顔料の粒子表面に他の原子団を介してアニオン性基が結合した自己分散顔料である請求項１に記載の水性インク。
【請求項３】
前記自己分散顔料が、顔料の粒子表面にフタル酸基が結合した自己分散顔料である請求項１又は２に記載の水性インク。
【請求項４】
前記自己分散顔料の表面電荷量（ｍｍｏｌ／ｇ）が、０．０２５ｍｍｏｌ／ｇ以上１．０００ｍｍｏｌ／ｇ以下である請求項１乃至３のいずれか１項に記載の水性インク。
【請求項５】
前記芳香族スルフィン酸又はその塩に由来するスルフィン酸基の濃度（ｍｍｏｌ／ｋｇ）が、０．０５ｍｍｏｌ／ｋｇ以上３．５０ｍｍｏｌ／ｋｇ以下である請求項１乃至４のいずれか１項に記載の水性インク。
【請求項６】
前記芳香族スルホン酸又はその塩に由来するスルホン酸基の濃度（ｍｍｏｌ／ｋｇ）が、０．２５ｍｍｏｌ／ｋｇ以上１５．００ｍｍｏｌ／ｋｇ以下である請求項１乃至５のいずれか１項に記載の水性インク。
【請求項７】
前記芳香族スルホン酸又はその塩に由来するスルホン酸基の濃度（ｍｍｏｌ／ｋｇ）が、前記芳香族スルフィン酸又はその塩に由来するスルフィン酸基の濃度（ｍｍｏｌ／ｋｇ）に対するモル比率で、５．０倍以上５０．０倍以下である請求項１乃至６のいずれか１項に記載の水性インク。
【請求項８】
前記芳香族スルフィン酸又はその塩の芳香族基の炭素数が、６以上１０以下である請求項１乃至７のいずれか１項に記載の水性インク。
【請求項９】
前記芳香族スルフィン酸又はその塩が、ベンゼンスルフィン酸、ｐ−トルエンスルフィン酸、１−ナフタレンスルフィン酸、２−ナフタレンスルフィン酸、及びこれらの塩のいずれかである請求項１乃至８のいずれか１項に記載の水性インク。
【請求項１０】
前記芳香族スルホン酸又はその塩の芳香族基の炭素数が、６以上１０以下である請求項１乃至９のいずれか１項に記載の水性インク。
【請求項１１】
前記芳香族スルホン酸又はその塩が、ベンゼンスルホン酸、ｐ−トルエンスルホン酸、１−ナフタレンスルホン酸、２−ナフタレンスルホン酸、４−ヒドロキシベンゼンスルホン酸、及びこれらの塩のいずれかである請求項１乃至１０のいずれか１項に記載の水性インク。
【請求項１２】
前記自己分散顔料の顔料種が、カーボンブラックである請求項１乃至１１のいずれか１項に記載の水性インク。
【請求項１３】
前記自己分散顔料の含有量（質量％）が、インク全質量を基準として、０．１０質量％以上１５．００質量％以下である請求項１乃至１２のいずれか１項に記載の水性インク。
【請求項１４】
さらに、（ｉ）アルカリ金属イオン、アンモニウムイオン、及び有機アンモニウムイオンからなる群から選ばれる少なくとも１種のカチオン、及び、Ｃｌ−、Ｂｒ−、Ｉ−、ＣｌＯ−、ＣｌＯ２−、ＣｌＯ３−、ＣｌＯ４−、ＮＯ２−、ＮＯ３−、ＳＯ４２−、ＣＯ３２−、ＨＣＯ３−、ＨＣＯＯ−、（ＣＯＯ−）２、ＣＯＯＨ（ＣＯＯ−）、ＣＨ３ＣＯＯ−、Ｃ２Ｈ４（ＣＯＯ−）２、Ｃ６Ｈ５ＣＯＯ−、Ｃ６Ｈ４（ＣＯＯ−）２、ＰＯ４３−、ＨＰＯ４２−、及びＨ２ＰＯ４−からなる群から選ばれる少なくとも１種のアニオンが結合して構成される塩、及び、（ｉｉ）比誘電率が３２以下の水溶性有機溶剤、の少なくとも一方を含有する請求項１乃至１３のいずれか１項に記載の水性インク。
【請求項１５】
インクと、前記インクを収容するインク収容部とを備えたインクカートリッジであって、
前記インクが、請求項１乃至１４のいずれか１項に記載の水性インクであることを特徴とするインクカートリッジ。
【請求項１６】
インクをインクジェット方式の記録ヘッドから吐出して記録媒体に画像を記録するインクジェット記録方法であって、
前記インクが、請求項１乃至１４のいずれか１項に記載の水性インクであることを特徴とするインクジェット記録方法。
【手続補正書】
【提出日】令和2年7月21日(2020.7.21)
【手続補正１】
【補正対象書類名】特許請求の範囲
【補正対象項目名】請求項１
【補正方法】変更
【補正の内容】
【請求項１】
カゼインタンパク質と、レシチンと、有機酸モノグリセリドと、ペクチン、及びキサンタンガムからなる群より選択される1種以上と、植物油脂とを含有していることを特徴とするクリーミングパウダー。
【手続補正２】
【補正対象書類名】特許請求の範囲
【補正対象項目名】請求項５
【補正方法】変更
【補正の内容】
【請求項５】
カゼインタンパク質と、レシチンと、有機酸モノグリセリドと、ペクチン、及びキサンタンガムからなる群より選択される１種以上と、植物油脂とを含有する水中油型乳化物を噴霧乾燥する工程を有することを特徴とする、クリーミングパウダーの製造方法。
【手続補正３】
【補正対象書類名】明細書
【補正対象項目名】０００８
【補正方法】変更
【補正の内容】
【０００８】
［１］本発明の第一の態様に係るクリーミングパウダーは、カゼインタンパク質と、レシチンと、有機酸モノグリセリドと、ペクチン、及びキサンタンガムからなる群より選択される1種以上と、植物油脂とを含有していることを特徴とする。
［２］前記［１］のクリーミングパウダーにおいては、前記有機酸モノグリセリドが、クエン酸モノグリセリド、コハク酸モノグリセリド、及びジアセチル酒石酸モノグリセリドからなる群より選択される１種以上であることが好ましい。
［３］前記［１］又は［２］のクリーミングパウダーにおいては、前記レシチンが、大豆レシチン及びその酵素分解物からなる群より選択される１種以上であることが好ましい。
［４］前記［１］〜［３］のいずれかのクリーミングパウダーにおいては、前記ペクチンのエステル化度が５０％以上であることが好ましい。
［５］本発明の第二の態様に係るクリーミングパウダーの製造方法においては、カゼインタンパク質と、レシチンと、有機酸モノグリセリドと、ペクチン、及びキサンタンガムからなる群より選択される1種以上と、植物油脂とを含有する水中油型乳化物を噴霧乾燥する工程を有することを特徴とする。
［６］本発明の第三の態様に係る飲食品の製造方法は、前記［１］〜［４］のいずれかのクリーミングパウダーを原料とすることを特徴とする。
［７］本発明の第四の態様に係る容器詰飲食品の製造方法は、前記［１］〜［４］のいずれかのクリーミングパウダーを含有する飲食品を、容器に充填した後に加熱殺菌する、又は加熱殺菌した後に容器に充填することを特徴とする。
［８］前記［７］の容器詰飲食品の製造方法においては、前記飲食品が、嗜好性飲料であることが好ましい。
［９］前記［８］の容器詰飲食品の製造方法においては、前記嗜好性飲料が、コーヒー飲料、紅茶飲料、ココア飲料、又は抹茶飲料であることが好ましい。